(57)【要約】  本発明はＰＯＮ内の光出力レベルを遠隔位置で取得する方法および装置に関する。エレメント管理システムＥＭＳ（１２）は光ネットワークユニットＯＮＵ（２０）の光出力レベルを取得しようとするＳＮＭＰ要求メッセージ（４４）を送信する。ＳＮＭＰ要求メッセージ（４４）が受信されると、光回線端末ＯＬＴ（１４）は光出力レベル要求フレーム（５０）をＯＮＵ（２０）へ送信する。ＯＮＵ（２０）は要求フレーム（５０）に光出力レベル応答フレーム（５２）で応答する。この光出力レベル応答フレーム（５２）はＯＬＴ（１４）内の光学ブロック（３２（１））がアップストリームでの光出力レベルを計算するのに用いる予測ビットパターンを含む。ＯＬＴ（１４）は計算された光出力レベルをＳＮＭＰ応答メッセージ（４６）としてＥＭＳ（１２）へ送信する。
2008504765.tif 000002
【特許請求の範囲】
【請求項１】
光ネットワークユニット（ＯＮＵ）のアップストリームでの光出力レベルを要求する要求フレームを光回線端末（ＯＬＴ）から光ネットワークユニットへ送信するステップ、
要求フレームを光ネットワークユニットで受信するステップ、光ネットワークユニットから予測ビットパターンを含む応答フレームを送信するステップ、および、
予測ビットパターンに基づいてアップストリームでの光出力レベル値を求めるステップ
を有する
ことを特徴とする光ネットワークユニットのアップストリームでの光出力レベルを求める方法。
【請求項２】
さらに、要求フレームを送信するステップの前にＳＮＭＰ光出力レベルメッセージを送信するステップを有する、請求項１記載の方法。
【請求項３】
さらに、ＳＮＭＰケイパビリティメッセージを管理システムから送信するステップ、ＳＮＭＰケイパビリティメッセージを光回線端末で受信するステップ、および、ＳＮＭＰケイパビリティ応答を管理システムへ送信するステップを有し、応答によって光出力レベルがサポートされていないことが示された場合、要求フレームを送信するステップ・要求フレームを受信するステップ・応答フレームを送信するステップ・アップストリームでの光出力レベル値を求めるステップの全てをスキップする、請求項２記載の方法。
【請求項４】
さらに、アップストリームでの光出力レベル値を含むＳＮＭＰ光出力レベル応答メッセージを送信することによりＳＮＭＰ光出力レベル要求メッセージに応答するステップを有する、請求項２記載の方法。
【請求項５】
さらに、光出力レベル値を管理システムで表示するステップを有する、請求項４記載の方法。
【請求項６】
処理ユニット、光出力レベルを遠隔位置で取得しようとする要求を受け取る入力インタフェース、ネットワークエレメントに対してメッセージを送受信するトランシーバ、および、要求された光出力レベルを表示する出力インタフェースを含む
ことを特徴とする受動光通信網（ＰＯＮ）内の光デバイスの光出力レベルを要求するように構成された管理システム。
【請求項７】
管理システムはエレメント管理装置およびネットワーク管理装置から成るグループから選択される、請求項６記載の管理システム。
【請求項８】
光デバイスは光ネットワークユニットおよび光ネットワーク端末から成るグループから選択され、ネットワークエレメントは光回線端末である、請求項６記載の管理システム。
【請求項９】
管理システムは光出力レベル要求メッセージをネットワークエレメントへ送信し、またネットワークエレメントから光出力レベル応答メッセージを受信するように構成されている、請求項６記載の管理システム。
【請求項１０】
出力インタフェースは光出力レベル応答メッセージから得られた光出力レベル値を表示するように構成されている、請求項９記載の管理システム。
【請求項１１】
管理システムから要求メッセージを受信しかつ管理システムへ応答メッセージを送信するトランシーバ、光出力レベル属性を含みかつ管理システムから得られた光出力レベル要求メッセージを処理することができる光出力レベル管理エンティティ、および、光出力レベル要求メッセージを処理する処理ユニットを有する
ことを特徴とする光デバイスに対してアップストリームでの光出力レベルを供給する受動光通信網（ＰＯＮ）内のネットワークエレメント。
【請求項１２】
ネットワークエレメントは光回線端末である、請求項１１記載のネットワークエレメント。
【請求項１３】
管理システムはエレメント管理装置およびネットワーク管理装置から成るグループから選択され、管理システムのメッセージはＳＮＭＰにしたがってフォーマットされる、請求項１１記載のネットワークエレメント。
【請求項１４】
ネットワークエレメントは管理システムから光出力レベル要求メッセージが受信された後にアップストリームでの光出力レベルを要求するフレームを光デバイスへ送信するように構成されている、請求項１１記載のネットワークエレメント。
【請求項１５】
ネットワークエレメントは所定の時間範囲内に光デバイスから応答が得られなかった場合にフレームを光デバイスへ再送信するように構成されている、請求項１４記載のネットワークエレメント。
【請求項１６】
ネットワークエレメントは光デバイスから受信されたフレームの出力レベルを配列したアップストリームフィールドにおける予測ビットパターンを認識するように構成されている、請求項１１記載のネットワークエレメント。
【請求項１７】
さらに、予測ビットパターンを認識するように構成された光学ブロックが設けられている、請求項１６記載のネットワークエレメント。
【請求項１８】
ネットワークエレメントは光デバイスから受信されたフレームの出力レベルを配列したアップストリームフィールドに対して平均出力を計算することにより光出力レベル値を取得するように構成されている、請求項１６記載のネットワークエレメント。
【請求項１９】
さらに平均出力を計算するように構成された光学ブロックが設けられている、請求項１８記載のネットワークエレメント。
【請求項２０】
ネットワークエレメントは光出力レベル要求メッセージに対して光出力レベル値を含む応答メッセージを管理システムへ送信するように構成されている、請求項１８記載の管理システム。
【請求項２１】
管理エンティティは光出力レベル属性を含む、請求項２０記載のネットワークエレメント。
【請求項２２】
受動光通信網（ＰＯＮ）に対して伝送の送受信を行う光学ブロック、受動光通信網に対する物理アドレスを形成しかつ受信した伝送が当該の光デバイスに対するものであるか否かを判別するメディアアクセスコントロール、および、光出力レベル伝送要求を受信するように構成された処理ユニットを有する
ことを特徴とする光出力レベルを供給するように構成された受動光通信網内の光デバイス。
【請求項２３】
光デバイスは光ネットワークユニットおよび光回線端末から成るグループから選択される、請求項２２記載の管理システム。
【請求項２４】
受信された伝送は物理制御ブロックのダウンストリームフィールドを含み、該ダウンストリームフィールドは受信された伝送が光出力レベルの伝送要求であるか否かを表すサブフィールドを有する、請求項２２記載の光デバイス。
【請求項２５】
サブフィールドは伝送の輻輳帯域フィールド内にある、請求項２４記載の光デバイス。
【請求項２６】
処理ユニットはさらに光出力レベルの伝送要求に予測ビットパターンで応答するように構成されている、請求項２２記載の光デバイス。
【請求項２７】
処理ユニットはさらに、光デバイスがパワーセットアップ・シリアルナンバリング・レンジング・オペレーションから成るグループから選択されたいずれかのステータスにあるとき光出力レベルの伝送要求に応答するように構成されている、請求項２６記載の光デバイス。
【発明の詳細な説明】
【技術分野】
【０００１】
関連出願のクロスリファレンス
本願は２００４年６月３０日付の米国仮出願第６０／５８４３５４号明細書に関連する。
【０００２】
発明の分野
本発明は受動光通信網ＰＯＮ（Passive Optical Network）の光出力レベルを取得する方法および装置に関しており、より詳細に云えば、ＰＯＮを修正して光ネットワークユニットのアップストリームでの光出力レベルを遠隔位置で取得する手段に関する。
【０００３】
背景技術
受動光通信網ＰＯＮはマルチメディアデータ伝送路となる光ファイバケーブルを含み、広帯域のデータサービスを複数のユーザへ届けることができるようになっている。データ伝送路では機器の設置・サービスの提供・ネットワークの稼働の際に出力強度を監視する必要がある。周知のように、ユーザからＰＯＮへ向かうデータ伝送路を監視するにはテスト要員がテスト用機器を持ってユーザの所在地まで出向かなければならない。この方法は時間がかかるうえ、遠隔地に在するユーザのためにデータ伝送路をテストしなければならない場合に特にコストが高くなってしまう。さらに、テスト要員による機器を用いた接続は、例えばテスト要員が電柱に上らなければならないなど、困難かつ危険である。したがってユーザからＰＯＮへ向かうデータ伝送路をテストするための改善された手段が望まれている。
【０００４】
発明の概要
本発明の第１の手段は光ネットワークユニットのアップストリームでの光出力レベルを求める方法に関しており、光ネットワークユニットＯＮＵのアップストリームでの光出力レベルを要求する要求フレームを光回線端末ＯＬＴから光ネットワークユニットへ送信するステップ、要求フレームを光ネットワークユニットで受信するステップ、光ネットワークユニットから予測ビットパターンを含む応答フレームを送信するステップ、および、予測ビットパターンに基づいてアップストリームでの光出力レベル値を求めるステップを有することを特徴とする。
【０００５】
本発明の第２の手段は受動光通信網ＰＯＮ内の光デバイスの光出力レベルを要求するように構成された管理システムに関しており、処理ユニット、光出力レベルを遠隔位置で取得しようとする要求を受け取る入力インタフェース、ネットワークエレメントに対してメッセージを送受信するトランシーバ、および、要求された光出力レベルを表示する出力インタフェースを含むことを特徴とする。
【０００６】
本発明の第３の手段は光デバイスに対してアップストリームでの光出力レベルを供給する受動光通信網ＰＯＮ内のネットワークエレメントに関しており、管理システムから要求メッセージを受信しかつ管理システムへ応答メッセージを送信するトランシーバ、光出力レベル属性を含みかつ管理システムから得られた光出力レベル要求メッセージを処理することができる光出力レベル管理エンティティ、および、光出力レベル要求メッセージを処理する処理ユニットを有することを特徴とする。
【０００７】
本発明の第４の手段は光出力レベルを供給するように構成された受動光通信網ＰＯＮ内の光デバイスに関しており、受動光通信網に対して伝送の送受信を行う光学ブロック、受動光通信網に対する物理アドレスを形成しかつ受信した伝送が当該の光デバイスに対するものであるか否かを判別するメディアアクセスコントロール、および、光出力レベルの伝送要求を受信するように構成された処理ユニットを有することを特徴とする。
【０００８】
図面の簡単な説明
本発明の上述のコンセプトおよびその他のコンセプトを図示の実施例に則して以下に詳細に説明する。ただし実施例は例示にすぎず、本発明を限定するものではない。各図を通して同様の機能を有する素子には同様の参照番号を付してある。
【０００９】
図１には従来技術によるギガビット受動光通信網ＧＰＯＮの概略図が示されている。図２には従来技術によるＧＰＯＮ内の光ネットワークユニットＯＮＵのアップストリームでの光出力レベルを取得する方法の概略図が示されている。図３には本発明によるＧＰＯＮ内のＯＮＵのアップストリームでの光出力レベルを取得する方法および装置の第１の実施例の概略図が示されている。図４には本発明によるＧＰＯＮ内のＯＮＵのアップストリームでの光出力レベルを取得する方法および装置のメッセージフローが示されている。
【００１０】
発明の詳細な説明
本発明は以下に説明する１つまたは複数のコンセプトを用いている。例えば、第１のコンセプトは光出力レベルを遠隔位置で取得する手段に関する。第２のコンセプトは管理システムを修正する手段に関する。第３のコンセプトは光デバイスを修正する手段に関する。第４のコンセプトはネットワークエレメントを修正する手段に関する。
【００１１】
本発明は、ＳＮＭＰ（Simple Network Management Protocol）を利用しているエレメント管理装置ＥＭＳを介してギガビット受動光通信網ＧＰＯＮ内の光ネットワークユニットＯＮＵのアップストリームでの光出力レベルを取得する方法に関する。ただし本発明の方式はＧＰＯＮでの適用に限定されず、ブロードバンド受動光通信網ＢＰＯＮなどの他のＰＯＮにも適用可能である。ここでは本発明をＯＮＵのアップストリームでの光出力レベルを取得する方法について説明するが、ＯＮＵ以外の光デバイス、例えば光ネットワーク端末ＯＮＴまたは光伝送を送受信可能な他の適切な光デバイスの光出力レベルを取得することもできる。また本発明はダウンストリームでの光出力レベルを取得する方法にも適用可能である。さらに、本発明は光回線端末ＯＬＴなどのネットワークエレメントを管理するＥＭＳその他の管理システム、例えばネットワーク管理装置にも適用可能である。管理要求メッセージはＳＮＭＰ要求メッセージとして記述され、管理応答メッセージはＳＮＭＰ応答メッセージとして記述されるが、他のネットワーク管理プロトコル、例えばＴＬ１（Transaction Management 1）、ＣＭＩＰ（Common Management Information Protocol）なども用いることができる。当該分野の技術者であれば、ここで説明される装置、プロセス、システム、コンポーネント、コンフィグレーション、方法およびアプリケーションのさらなる応用を見いだせるはずである。つまり、ＳＮＭＰを利用しているＥＭＳを介してＧＰＯＮ内のＯＮＵのアップストリームでの光出力レベルを取得するケースは本発明の適用例の１つに過ぎない。ただし本発明は当該のＳＮＭＰを用いたＥＭＳを介してＧＰＯＮ内のＯＮＵのアップストリームでの光出力レベルを取得するケースに特に適している。
【００１２】
図３，図４には本発明の方法および装置の概略図が示されている。ＥＭＳ１２は光出力レベルをＯＮＵ２０から受け取りたい旨のＳＮＭＰ要求メッセージ４４を送信する。ＳＮＭＰ要求メッセージ４４が受信された後、ＯＬＴ１４は要求フレーム５０をＯＮＵ２０へ送信する。ＯＮＵ２０はＯＬＴ１４内の光学ブロック３２（１）で用いられる予測ビットパターンを含む応答フレーム５２により応答する。これによりアップストリームでの光出力レベルが計算される。その後、当該の光出力レベルがＳＮＭＰ応答メッセージ４６としてＥＭＳ１２へ送信される。
【００１３】
図１には従来技術によるＧＰＯＮ１０の概略図が示されている。ＧＰＯＮ１０はＯＬＴ１４を含み、このＯＬＴは光分配通信網ＯＤＮ１６を介してＯＮＵ２０へリンクしている。ＯＬＴ１４とＯＮＵ２０とのあいだの通信リンクにより双方向通信路が形成される。物理線路１５はＯＬＴ１４とＯＤＮ１６とを操作可能に接続する。簡単化のためにＯＤＮ１６およびＯＮＵ２０はそれぞれ１つずつしか示していない。ただし個別の物理線路を介して複数のＯＤＮ１６を１つのＯＬＴ１４へ操作可能に接続することもできる。さらに、複数のＯＮＵ２０を１つのＯＤＮ１６へ操作可能に接続してもよい。"通信リンク"とはここでは、地上機器および／または衛星機器を用いたネットワークエレメント間の通信をサポートする適切な無線、有線、電気ベースおよび／または光ベースのシステムのいずれであってもよい。
【００１４】
ＯＬＴ１４はＯＮＵ２０へ向かうダウンストリーム伝送を行う。音声およびデータは有利には波長１４９０ｎｍの帯域内のダウンストリームとして伝送される。さらにＯＬＴ１４はマルチメディアビデオ信号を有利には波長１５５０ｎｍの帯域内のダウンストリームとして伝送する。ＯＬＴ１４からのダウンストリーム伝送は連続モードで行われ、伝送信号は当該のＯＬＴ１４に操作可能に接続された各ＯＮＵ２０へ配信される。これによりポイント‐ツー‐マルチポイント通信が行われる。連続モードとは他のデバイスのリンクのダウンストリーム伝送を共有する必要のない伝送を云う。またＯＬＴ１４はＯＮＵ２０からアップストリーム信号を受信する。
【００１５】
ＯＮＵ２０はＯＬＴ１４へ向かうアップストリーム伝送を行う。音声およびデータは有利には波長１３１０ｎｍの帯域内のアップストリームとして伝送される。ＯＮＵ２０へのアップストリーム伝送はバーストモードで行われる。バーストモードとは、ＯＮＵ２０に信号を送信するための所定の時間が割り当てられており、各ＯＮＵ２０からの信号が相互に衝突しない伝送を云う。ＯＮＵ２０とは、光伝送の送受信を行うことのできる適切なデバイス、例えばＯＮＵまたはＯＮＴである。またＯＮＵ２０はＯＬＴ１４からダウンストリーム信号を受信する。
【００１６】
ＯＤＮ１６は、ＯＬＴ１４と複数のＯＮＵ２０とのあいだの伝送を配向する光ファイバ、コネクタ、受動スプリッタなどの受動素子２２を含む。
【００１７】
前述したように、この実施例ではポイント‐ツー‐マルチポイント通信が行われる。ただし本発明の方式をポイント‐ツー‐ポイント通信に適用することもできる。
【００１８】
図２には、従来技術によりＧＰＯＮ１０内のＯＮＵ２０のアップストリームでの光出力レベルを取得する方法および装置の概略図が示されている。ＧＰＯＮ１０は、ＯＬＴ１４，スプリッタ２１を含むＯＤＮ１６およびＯＮＵ１６に加え、光スペクトルアナライザＯＳＡ２４を含んでいる。スプリッタ２１は、ＯＤＮ１６への信号、例えば比９９：１の信号が不適切に劣化しないように、ＯＮＵ２０からの光伝送をＯＤＮ１６とＯＳＡ２４とのあいだで分割する。ＯＳＡは当該の信号を用いてＯＮＵ２０からアップストリームでの光出力レベルを取得する。
【００１９】
図３には、本発明によるＧＰＯＮ内のＯＮＵ２０のアップストリームでの光出力レベルを取得する方法および装置の概略図が示されている。ここではＯＬＴ１４，ＯＤＮ１６およびＯＮＵ２０を含むＧＰＯＮ１０と、このＧＰＯＮへの通信リンクを有するＥＭＳ１２とが示されている。
【００２０】
図３に示されている実施例では、ＥＭＳ１２はＯＮＵ２０の光出力レベルを遠隔位置で取得するためにＯＬＴ１４を管理するように構成されている。ＥＭＳ１２はトランシーバ３０（２），入力インタフェース３６，出力インタフェース３８および処理ユニット２６（３）を含むことができる。ＥＭＳ１２とＯＬＴ１４とのあいだの伝送はトランシーバ３０（２）により処理される。グラフィカルユーザインタフェースＧＵＩからの入力、他のデバイスの信号または適切な手法によって収集された他の入力要求は入力インタフェース３６により受信される。入力インタフェース３６は光出力レベルを遠隔位置で取得したい旨の要求を受け取るように構成されている。出力インタフェース３８は結果をＧＵＩおよび他のデバイスまたは適切な手法によって動作する他の手段へ出力する。出力インタフェース３８は要求された光出力レベル値を出力するように構成されている。処理ユニット２６（３）は入力デバイスからの光出力レベル要求の処理および出力デバイスへ出力される光出力レベルの処理に必要なハードウェアおよび／またはソフトウェアを含むように構成されている。さらに、処理ユニット２６（３）は以下に説明する光出力レベルに関する要求および応答を通信するＳＮＭＰメッセージを処理するように構成されている。
【００２１】
図３の実施例では、ＯＬＴ１４は、ＥＭＳ１２からのＳＮＭＰ要求を受信した後、ＯＮＵ２０の光出力レベルを遠隔取得するように構成されている。ＯＬＴ１４はトランシーバ３０（１），光学ブロック３２（１），メディアアクセスコントロールＭＡＣ３４（１），光出力レベル管理エンティティＯＰＭＥ２８，物理線路管理エンティティＰＰＭＥ２９および処理ユニット２６（１）を有する。ＯＬＴ１４と管理システムとのあいだの伝送はトランシーバ３０（１）により処理される。光学ブロック３２（１）はＯＬＴ１４とＯＮＵ２０とのあいだの伝送を行うソフトウェアおよび／またはハードウェアを含む。光学ブロック３２（１）は以下に説明する光出力レベル値を求めるように構成されている。ＭＡＣ３２（１）はメディアアクセスコントロールとして機能し、光出力レベルを遠隔取得するためにメッセージを処理できるように構成されている。光出力レベル管理エンティティ２８は光出力の処理を管理し、光出力レベルの遠隔アクセスを可能にする光出力レベル属性を含む。物理線路管理エンティティ２９はＯＬＴ１４とＯＤＮ１６とのあいだの物理コネクションの特性を記述している。物理線路管理エンティティ２９はＯＤＮ１６および／またはＯＮＵ２０が以下に説明する光出力レベルのケイパビリティまたは機能を遠隔位置で有することができるか否かを表すケイパビリティ属性を含むように構成されている。処理ユニット２６（１）は通信エンティティおよび／または管理エンティティの処理に必要なハードウェアおよび／またはソフトウェアを含む。
【００２２】
図３の実施例では、ＯＮＵ２０は、以下に説明するように、予測ビットパターンをＯＬＴ１４へ供給するように構成されている。ＯＮＵ２０は光学ブロック３２（２），ＭＡＣ３４（２）および処理ユニット２６（２）を含む。ＯＮＵ２０とＯＬＴ１４とのあいだの伝送は光学ブロック３２（２）により処理される。ＭＡＣ３４（２）はメディアアクセスコントロールとして機能し、ＯＮＵ２０に対してのみならずダウンストリームのトラフィックをフィルタリングする。処理ユニット２６（２）は通信の処理に必要なハードウェアおよび／またはソフトウェアを含む。
【００２３】
図４には、本発明によるＧＰＯＮ内のＯＮＵ２０のアップストリームでの光出力レベルを取得する方法および装置のメッセージフローが示されている。光出力レベルを遠隔取得したい旨の要求が受信されると、ＥＭＳ１２は物理線路管理エンティティ２９を介してＯＮＵ２０のケイパビリティを取得するためのＳＮＭＰケイパビリティ要求メッセージ４０を形成する。次いでＥＭＳ１２はＳＮＭＰケイパビリティ要求メッセージ４０をＯＬＴ１４へ送信する。ＯＬＴ１４はＳＮＭＰケイパビリティ要求メッセージ４０を受け取り、物理線路管理エンティティ２９を用いてＯＮＵ２０が遠隔取得された光出力レベルを有することができるか否かを判別する。その後、ＯＬＴ１４はケイパビリティ結果をＳＮＭＰケイパビリティ応答メッセージ４２として返送する。
【００２４】
ＯＮＵ２０が遠隔取得された光出力レベルを有しうる場合、ＥＭＳ１２は、光出力レベル管理エンティティ２８を介して光出力レベルを取得するためのＳＮＭＰ光出力レベル要求メッセージ４４を形成する。その後SNMP光出力レベル要求メッセージ４４がＯＬＴ１４へ送信される。ＯＬＴ１４はＳＮＭＰ光出力レベル要求メッセージ４４を受信し、アップストリームでの光出力レベルを要求するフレーム５０をフォーマット化する。別の実施例として、光出力要求フレーム５０が物理制御ブロックのダウンストリームＰＣＢｄにおいて、アップストリームでの光出力レベルに対する要求を表すフィールドを含むように構成してもよい。さらに別の実施例では、ＰＣＢｄは、アップストリームでの光出力レベルに対する要求を表す伝送輻輳帯域サブフィールドを含む。また当該分野の技術者には、光出力レベル要求フレーム５０において、アップストリームでの光出力レベルに対する要求を表す他のインジケータを認識してもよいことが明らかなはずである。光出力レベル要求フレーム５０は光学ブロック３２（１）からＯＤＮ１６を介してＯＮＵ２０へ送信される。
【００２５】
ＯＮＵ２０は、受信された自身についての光出力レベル要求フレーム５０を求めた後、予測ビットパターンを含む光出力レベル応答フレーム５２で応答する。光出力レベル応答フレーム５２は出力レベルを配列したアップストリームフィールドＰＬＳｕを含む。予測ビットパターンはＯＬＴ１４が光出力レベル応答フレーム５２として認識するビットパターンである。予測ビットパターンはＯＬＴ１４とＯＮＵ２０とのあいだで調整され、あらかじめ定義され、および／または管理される。
【００２６】
ＯＬＴ１４の光学ブロック３２（１）が光出力レベル要求フレーム５２の予測ビットパターンを認識した場合、光学ブロック３２（１）はＰＬＳｕの平均出力を計算することにより光出力レベル値を求める。発生した光出力に応じて、光学ブロック３２（１）内の検出デバイスｄ１８が電流を形成する。当該の電流の値が形成される。検出デバイスは既知の反射特性Ｒを有している。この反射特性は電流と光出力レベルとの比Ａ／Ｗで表される。検出デバイス１８専用の光波長の反射特性Ｒの値、ひいては電流値が既知であることにより、入力された光エネルギが計算される。ただし光出力は光学ブロック３２（１）以外のデバイスによっても認識および／または識別可能である。付加的に前述の手法を拡張して平均光出力を求めてもよい。この場合、複数の要求５０が送信され、複数の応答５２が受信されてこれらの結果が平均される。計算されたアップストリームでの光出力レベル値を含むＳＮＭＰ光応答メッセージ４６はＥＭＳ１２へ送信される。ＥＭＳ１２は当該の値を表示する。
【００２７】
ＯＮＵ２０が応答不能なステータスにあるケースも存在する。ＯＮＵ２０は、有利には、パワーセットアップ・シリアルナンバリング・レンジング・オペレーションのステータスのいずれかで応答する。ここでＯＮＵ２０が応答不能であれば、光出力レベル要求はＯＬＴ１４からあらかじめ定められた時間後に再送信されることが望ましい。ＯＬＴ１４はあらかじめ定められた回数だけ再送信を行うか、または定められた時間範囲において繰り返し送信を行う。
【００２８】
図示の実施例では、ＳＮＭＰケイパビリティ検査のメッセージシーケンス４０，４２と物理線路管理エンティティ２９とが用いられ、ＯＮＵ２０が遠隔取得された光出力レベルを有することができるか否かが判別される。これに代えて、適切なメッセージシーケンスおよび／または管理エンティティを用いてケイパビリティを判別してもよい。また、ケイパビリティ検査を全てスキップすることもできる。
【００２９】
本発明は種々の形態および種々のタイプのネットワーク、プロトコル、プロトコルバージョンに適用でき、前述した実施例のみに限定されない。これらの実施態様が本発明の範囲に完全に含まれることは当該分野の技術者にとって明らかである。したがって本発明の範囲は前述した各実施例ではなく、特許請求の範囲およびこれと等価の特徴に基づいて定められる。
【図面の簡単な説明】
【００３０】
【図１】従来技術によるギガビット受動光通信網ＧＰＯＮの概略図である。
【図２】従来技術によるＧＰＯＮ内の光ネットワークユニットＯＮＵのアップストリームでの光出力レベルを取得する方法の概略図である。
【図３】本発明によるＧＰＯＮ内のＯＮＵのアップストリームでの光出力レベルを取得する方法および装置の第１の実施例の概略図である。
【図４】本発明によるＧＰＯＮ内のＯＮＵのアップストリームでの光出力レベルを取得する方法および装置のメッセージフローを示す図である。
【図１】
2008504765.tif 000003
【図２】
2008504765.tif 000004
【図３】
2008504765.tif 000005
【図４】
2008504765.tif 000006
【国際調査報告】
2008504765.tif 000007
2008504765.tif 000008
2008504765.tif 000009